(57)【要約】      （修正有）【課題】改善された真空断熱ガラスユニット用のウィンドウフレームシステムを提供する。【解決手段】ウィンドウアセンブリは、真空断熱ガラスユニット１２及びフレームアセンブリを含み得る。真空断熱ガラスユニットは、大気圧より低い圧力にある空間を間に画定する第１及び第２のガラス基板１８、２０を含み得る。第１及び第２のガラス基板のうちの一方は、そこから外側に延在する真空ポート２４を含んでもよい。真空ポートは、空間２２と連通する通路２５を画定し得る。フレームアセンブリは、ガラスユニットを支持し、ベース部材３２及びグレージング部材３４を含んでもよい。ベース部材とグレージング部材とが協働して、ガラスユニットの縁部が受容されるスロット３６を画定する。グレージング部材は、真空ポートを受容する空洞を含んでもよい。【選択図】図２
2020197116.tif 000002
【特許請求の範囲】
【請求項１】
大気圧より低い圧力にある空間を間に画定する第１及び第２のガラス基板を含む、真空断熱ガラスユニットであって、前記第１及び第２のガラス基板のうちの一方が、真空ポートを含み、前記真空ポートが、前記第１及び第２のガラス基板のうちの一方を通って延在し、かつ前記空間と連通する、通路を画定する、真空断熱ガラスユニットと、
前記真空断熱ガラスユニットを支持し、ベース部材及びグレージング部材を含む、フレームアセンブリであって、前記ベース部材と前記グレージング部材とが協働して、前記真空断熱ガラスユニットの縁部が受容されるスロットを画定し、前記ベース部材又は前記グレージング部材のうちの一方が、前記真空ポートを受容する空洞を含む、フレームアセンブリと、を備える、ウィンドウアセンブリ。
【請求項２】
前記グレージング部材が、前記ベース部材と嵌合するようにスナップ嵌めされるタブを含む、請求項１に記載のウィンドウアセンブリ。
【請求項３】
前記ベース部材が、埋め込まれた補強部材を含む、請求項１に記載のウィンドウアセンブリ。
【請求項４】
前記グレージング部材が、前記真空断熱ガラスユニットを構造的に支持する、請求項１に記載のウィンドウアセンブリ。
【請求項５】
前記真空ポートを受容する前記空洞が、断熱材料で充填される、請求項１に記載のウィンドウアセンブリ。
【請求項６】
前記ベース部材及び前記グレージング部材のうちの少なくとも一方が、その熱伝導率を低減する埋め込まれた添加剤を有するビニルを含む、請求項１に記載のウィンドウアセンブリ。
【請求項７】
前記真空断熱ガラスユニットの前記縁部が、前記スロット内に、１．２５インチ以上の咬合深さまで挿入される、請求項１に記載のウィンドウアセンブリ。
【請求項８】
前記グレージング部材が、前記真空断熱ガラスユニットの荷重の少なくとも一部を支える、請求項１に記載のウィンドウアセンブリ。
【請求項９】
前記グレージング部材と前記ベース部材とが協働して、前記真空断熱ガラスユニットの前記荷重を支える、請求項８に記載のウィンドウアセンブリ。
【請求項１０】
大気圧より低い圧力にある空間を間に画定する第１及び第２のガラス基板をそれぞれ含む、複数の真空断熱ガラスユニットであって、前記第１及び第２のガラス基板のうちの一方が、そこから外側に延在する真空ポートを含み、前記真空ポートが、前記第１及び第２のガラス基板のうちの一方を通って延在し、かつ前記空間と連通する、通路を画定する、複数の真空断熱ガラスユニットと、
前記真空断熱ガラスユニットを支持し、ベース部材及びグレージング部材を含む、フレームアセンブリであって、前記ベース部材と前記グレージング部材とが協働して、前記真空断熱ガラスユニットの第１のユニットの一部分が受容される第１のスロットを画定し、前記ベース部材又は前記ガラス部材のうちの一方が、前記真空断熱ガラスユニットの前記第１のユニットの前記真空ポートを受容する空洞を含み、前記ベース部材が、前記真空断熱ガラスユニットの第２のユニットの一部分を受容する第２のスロットを画定する、フレームアセンブリと、を備える、ウィンドウアセンブリ。
【請求項１１】
前記グレージング部材が、前記ベース部材と嵌合するようにスナップ嵌めされるタブを含む、請求項１０に記載のウィンドウアセンブリ。
【請求項１２】
前記ベース部材が、埋め込まれた補強部材を含む、請求項１０に記載のウィンドウアセンブリ。
【請求項１３】
前記グレージング部材及び前記ベース部材が、前記フレームアセンブリを通じる熱伝導を低減する複数のポケットを画定する、請求項１０に記載のウィンドウアセンブリ。
【請求項１４】
前記ポケットのうちの少なくとも１つが、空気で充填される、請求項１３に記載のウィンドウアセンブリ。
【請求項１５】
前記ポケットのうちの少なくとも１つが、発泡体で充填される、請求項１３に記載のウィンドウアセンブリ。
【請求項１６】
前記ベース部材が、前記真空断熱ガラスユニットの前記第１のユニットが歪んだ状態にあるときに、前記真空断熱ガラスユニットの前記第１のユニットの一部分を受容する前記第１のスロットに隣接する凹部を含む、請求項１３に記載のウィンドウアセンブリ。
【請求項１７】
前記凹部が、前記真空断熱ガラスユニットの前記第１のユニットの歪みに関連するエネルギーを吸収するために、内部に受容された断熱バリアを含む、請求項１６に記載のウィンドウアセンブリ。
【請求項１８】
前記グレージング部材が、前記真空断熱ガラスユニットの前記第１のユニットを構造的に支持する、請求項１０に記載のウィンドウアセンブリ。
【請求項１９】
前記真空断熱ガラスユニットの前記第１のユニットの前記真空ポートを受容する前記空洞が、断熱材料で充填される、請求項１０に記載のウィンドウアセンブリ。
【請求項２０】
前記ベース部材及び前記グレージング部材のうちの少なくとも一方が、その熱伝導率を低減する埋め込まれた添加剤を有するビニルを含む、請求項１０に記載のウィンドウアセンブリ。
【請求項２１】
前記真空断熱ガラスユニットの前記第１のユニットの前記一部分が、前記第１のスロット内に、１．２５インチ以上の咬合深さまで挿入される、請求項１０に記載のウィンドウアセンブリ。
【請求項２２】
前記グレージング部材と前記ベース部材とが協働して、前記真空断熱ガラスユニットの前記第１のユニットの荷重を支える、請求項１０に記載のウィンドウアセンブリ。
【請求項２３】
大気圧より低い圧力にある空間を間に画定する第１及び第２のガラス基板を含む、真空断熱ガラスユニットであって、前記第１及び第２のガラス基板のうちの一方が、そこから外側に延在する真空ポートを含み、前記真空ポートが、前記第１及び第２のガラス基板のうちの一方を通って延在し、かつ前記空間と連通する、通路を画定する、真空断熱ガラスユニットと、
第３のガラス基板と、
前記真空断熱ガラスユニット及び前記第３のガラス基板を支持し、ベース部材及びグレージング部材を含む、フレームアセンブリであって、前記ベース部材と前記グレージング部材とが協働して、前記真空断熱ガラスユニットの一部分が受容される第１のスロットを画定し、前記ベース部材又は前記ガラス部材のうちの一方が、前記真空断熱ガラスユニットの前記真空ポートを受容する空洞を含み、前記ベース部材が、前記第３のガラス基板の一部分を受容する第２のスロットを画定する、フレームアセンブリと、を備える、ウィンドウアセンブリ。
【請求項２４】
前記グレージング部材が、前記ベース部材と嵌合するようにスナップ嵌めされるタブを含む、請求項２３に記載のウィンドウアセンブリ。
【請求項２５】
前記ベース部材が、埋め込まれた補強部材を含む、請求項２３に記載のウィンドウアセンブリ。
【請求項２６】
前記グレージング部材及び前記ベース部材が、前記フレームアセンブリを通じる熱伝導を低減する複数のポケットを画定する、請求項２３に記載のウィンドウアセンブリ。
【請求項２７】
前記ポケットのうちの少なくとも１つが、空気で充填される、請求項２６に記載のウィンドウアセンブリ。
【請求項２８】
前記ポケットのうちの少なくとも１つが、発泡体で充填される、請求項２６に記載のウィンドウアセンブリ。
【請求項２９】
前記ベース部材が、前記真空断熱ガラスユニットが歪んだ状態にあるときに、前記真空断熱ガラスユニットの一部分を受容する前記第１のスロットに隣接する凹部を含む、請求項２６に記載のウィンドウアセンブリ。
【請求項３０】
前記凹部が、前記真空断熱ガラスユニットの歪みに関連するエネルギーを吸収するために、内部に受容された断熱バリアを含む、請求項２９に記載のウィンドウアセンブリ。
【請求項３１】
前記グレージング部材が、前記真空断熱ガラスユニットを構造的に支持する、請求項２３に記載のウィンドウアセンブリ。
【請求項３２】
前記真空ポートを受容する前記空洞が、断熱材料で充填される、請求項２３に記載のウィンドウアセンブリ。
【請求項３３】
前記ベース部材及び前記グレージング部材のうちの少なくとも一方が、その熱伝導率を低減する埋め込まれた添加剤を有するビニルを含む、請求項２３に記載のウィンドウアセンブリ。
【請求項３４】
前記真空断熱ガラスユニットの前記一部分が、前記第１のスロット内に、１．２５インチ以上の咬合深さまで挿入される、請求項２３に記載のウィンドウアセンブリ。
【請求項３５】
前記グレージング部材と前記ベース部材とが協働して、前記真空断熱ガラスユニットの荷重を支える、請求項２３に記載のウィンドウアセンブリ。
【請求項３６】
大気圧より低い圧力にある空間を間に画定する第１及び第２のガラス基板をそれぞれ含む、複数の真空断熱ガラスユニットと、
前記真空断熱ガラスユニットを支持し、ベース部材及びグレージング部材を含む、フレームアセンブリであって、前記ベース部材と前記グレージング部材とが協働して、前記真空断熱ガラスユニットの第１のユニットの一部分が受容される第１のスロットを画定し、前記ベース部材が、前記真空断熱ガラスユニットの第２のユニットの一部分を受容する第２のスロットを画定し、前記ベース部材又は前記ガラス部材のうちの一方が、前記真空断熱ガラスユニットの前記第１のユニットが歪んだ状態にあるときに、前記真空断熱ガラスユニットの前記第１のユニットの一部分を受容する前記第１のスロットに隣接する凹部を含む、フレームアセンブリと、を備える、ウィンドウアセンブリ。
【請求項３７】
前記第１及び第２のガラス基板のうちの一方が、そこから外側に延在する真空ポートを含み、前記真空ポートが、前記第１及び第２のガラス基板のうちの一方を通って延在し、かつ前記空間と連通する通路を画定し、前記ベース部材又は前記グレージング部材のうちの一方が、前記真空断熱ガラスユニットの前記第１のユニットの前記真空ポートを受容する空洞を含む、請求項３６に記載のウィンドウアセンブリ。
【請求項３８】
前記グレージング部材が、前記ベース部材と嵌合するようにスナップ嵌めされるタブを含む、請求項３６に記載のウィンドウアセンブリ。
【請求項３９】
前記ベース部材が、埋め込まれた補強部材を含む、請求項３６に記載のウィンドウアセンブリ。
【請求項４０】
前記グレージング部材及び前記ベース部材が、前記フレームアセンブリを通じる熱伝導を低減する複数のポケットを画定する、請求項３６に記載のウィンドウアセンブリ。
【請求項４１】
前記ポケットのうちの少なくとも１つが、空気で充填される、請求項４０に記載のウィンドウアセンブリ。
【請求項４２】
前記ポケットのうちの少なくとも１つが、発泡体で充填される、請求項４０に記載のウィンドウアセンブリ。
【請求項４３】
前記凹部が、前記真空断熱ガラスユニットの前記第１のユニットの歪みに関連するエネルギーを吸収するために、内部に受容された断熱バリアを含む、請求項３６に記載のウィンドウアセンブリ。
【請求項４４】
前記グレージング部材が、前記真空断熱ガラスユニットの前記第１のユニットを構造的に支持する、請求項３６に記載のウィンドウアセンブリ。
【請求項４５】
前記真空断熱ガラスユニットの前記第１のユニットの前記真空ポートを受容する前記空洞が、断熱材料で充填される、請求項３６に記載のウィンドウアセンブリ。
【請求項４６】
前記ベース部材及び前記グレージング部材のうちの少なくとも一方が、その熱伝導率を低減する埋め込まれた添加剤を有するビニルを含む、請求項３６に記載のウィンドウアセンブリ。
【請求項４７】
前記真空断熱ガラスユニットの前記第１のユニットの前記一部分が、前記第１のスロット内に、１．２５インチ以上の咬合深さまで挿入される、請求項３６に記載のウィンドウアセンブリ。
【請求項４８】
前記グレージング部材と前記ベース部材とが協働して、前記真空断熱ガラスユニットの前記第１のユニットの荷重を支える、請求項３６に記載のウィンドウアセンブリ。
【発明の詳細な説明】
【技術分野】
【０００１】
＜関連出願の相互参照＞
本出願は、２０１６年９月１９日に出願された米国特許出願第１５／２６８，７４４号の優先権を主張するものであり、この出願は、２０１４年５月２７日に出願された米国仮出願第６２／００３，１５８号の利益を主張する、２０１５年５月２０日に出願された米国特許出願第１４／７１７，３１８号の一部継続出願である。上記の出願のそれぞれの開示全体は、参照により本明細書に組み込まれる。
【０００２】
本開示は、ウィンドウフレームシステムに関し、より具体的には、真空断熱ガラスユニット用のウィンドウフレームシステムに関する。
【背景技術】
【０００３】
この節は、本開示に関する背景情報を提供するが、必ずしも先行技術ではない。
【０００４】
ガラス技術の進歩は、例えば、建物又は住宅の窓の断熱値を増加させ続けている。このような進歩は、ガラスユニットを通じた熱伝達の量を低減し続けている。しかしながら、これらの高性能ガラスユニットは、既存のウィンドウフレーム及び／又はグレージング技術に関する新しい問題を生じさせる。ウィンドウアセンブリが全体として高レベルで機能するために、高性能ウィンドウフレームシステムに設置されるこれらの高性能ガラスユニットが必要とされている。高性能ウィンドウフレームシステムに高性能ガラスユニットを設置することは、ウィンドウアセンブリのＲ値（熱抵抗）を全体として劇的に増加させ、建物又は住宅のエネルギー効率を劇的に改善する相乗効果をもたらすことができる。
【発明の概要】
【０００５】
このセクションは、本開示の一般的な概要を提供するが、その全ての範囲又はその全ての特徴の包括的な開示ではない。
【０００６】
ウィンドウアセンブリは、真空断熱ガラスユニット及びフレームアセンブリを含み得る。真空断熱ガラスユニットは、大気圧より低い圧力にある空間を間に画定する第１及び第２のガラス基板を含み得る。第１及び第２のガラス基板のうちの一方は、そこから外側に延在する真空ポートを含んでもよい。真空ポートは、空間と連通する通路を画定し得る。フレームアセンブリは、ガラスユニットを支持し、ベース部材及びグレージング部材を含んでもよい。ベース部材とグレージング部材とは協働して、ガラスユニットの縁部が受容されるスロットを画定する。ベース部材又はグレージング部材のうちの一方は、真空ポートを受容する空洞を含んでもよい。グレージング部材及びベース部材は、フレームアセンブリを通じる熱伝導を低減又は妨害する複数のポケットを画定してもよい。
【０００７】
いくつかの実施形態では、グレージング部材は、ベース部材と嵌合するようにスナップ嵌めされるタブを含む。
【０００８】
いくつかの実施形態では、ベース部材は、埋め込まれた補強部材を含む。
【０００９】
いくつかの実施形態では、ベース部材及びグレージング部材のうちの少なくとも一方は、その熱伝導率を低減する埋め込まれた添加剤を含む。
【００１０】
いくつかの実施形態では、ベース部材は、ガラスユニットが歪んだ状態にあるときに、ガラスユニットの一部分を受容するスロットに隣接する凹部を含む。
【００１１】
いくつかの実施形態では、凹部は、ガラスユニットの歪みに関連するエネルギーを吸収するために、内部に受容された断熱バリアを含む。
【００１２】
いくつかの実施形態では、グレージング部材は、ガラスユニットを構造的に支持する。
【００１３】
いくつかの実施形態では、グレージング部材は、ガラスユニットの荷重の少なくとも一部を支える。
【００１４】
いくつかの実施形態では、グレージング部材とベース部材とは協働して、ガラスユニットの荷重を支える。
【００１５】
いくつかの実施形態では、真空ポートを受容する空洞は、断熱材料で充填される。
【００１６】
いくつかの実施形態では、ポケットのうちの少なくとも１つは空気で充填される。
【００１７】
いくつかの実施形態では、ポケットのうちの少なくとも１つは、発泡体で充填される。
【００１８】
いくつかの実施形態では、ガラスユニットの縁部は、スロット内に、少なくとも１．２５インチの咬合深さまで挿入される。
【００１９】
別の形態では、本開示は、真空断熱ガラスユニット及びフレームアセンブリを含むウィンドウアセンブリを提供する。ガラスユニットは、大気圧より低い圧力にある空間を間に画定する第１及び第２のガラス基板を含み得る。フレームアセンブリは、ガラスユニットを支持することができ、ベース部材及びグレージング部材を含んでもよい。ベース部材とグレージング部材とは協働して、ガラスユニットの縁部が受容されるスロットを画定してもよい。ベース部材又はグレージング部材のうちの１つは、ガラスユニットが歪んだ状態にあるときに、ガラスユニットの一部分を受容するスロットに隣接する凹部を含んでもよい。
【００２０】
いくつかの実施形態では、第１及び第２のガラス基板のうちの一方は、そこから外側に延在する真空ポートを含んでもよく、真空ポートは、空間と連通する通路を画定し、ベース部材又はグレージング部材のうちの一方は、真空ポートを受容する空洞を含む。
【００２１】
いくつかの実施形態では、真空ポートを受容する空洞は、断熱材料で充填される。
【００２２】
いくつかの実施形態では、グレージング部材及びベース部材は、フレームアセンブリを通じる熱伝導を低減する複数のポケットを画定する。
【００２３】
いくつかの実施形態では、ポケットのうちの少なくとも１つは空気で充填される。
【００２４】
いくつかの実施形態では、ポケットのうちの少なくとも１つは、発泡体で充填される。
【００２５】
いくつかの実施形態では、グレージング部材は、ベース部材と嵌合するようにスナップ嵌めされるタブを含む。
【００２６】
いくつかの実施形態では、ベース部材は、埋め込まれた補強部材を含む。
【００２７】
いくつかの実施形態では、ベース部材及びグレージング部材のうちの少なくとも一方は、その熱伝導率を低減する埋め込まれた添加剤を含む。
【００２８】
いくつかの実施形態では、凹部は、ガラスユニットの歪みに関連するエネルギーを吸収するために、内部に受容された断熱バリアを含む。
【００２９】
いくつかの実施形態では、グレージング部材は、ガラスユニットを構造的に支持する。
【００３０】
いくつかの実施形態では、ガラスユニットの縁部は、スロット内に、１．２５インチ以上の咬合深さまで挿入される。
【００３１】
いくつかの実施形態では、グレージング部材は、ガラスユニットの荷重の少なくとも一部を支える。
【００３２】
いくつかの実施形態では、グレージング部材とベース部材とは協働して、ガラスユニットの荷重を支える。
【００３３】
別の形態では、本開示は、複数の真空断熱ガラスユニット及びフレームアセンブリを含み得るウィンドウアセンブリを提供する。真空断熱ガラスユニットのそれぞれは、大気圧より低い圧力にある空間を間に画定する第１及び第２のガラス基板を含んでもよく、第１及び第２のガラス基板のうちの一方は、そこから外側に延在する真空ポートを含み、真空ポートは、第１及び第２のガラス基板のうちの一方を通って延在し、かつ空間と連通する通路を画定する。フレームアセンブリは、真空断熱ガラスユニットを支持することができ、ベース部材及びグレージング部材を含んでもよい。ベース部材とグレージング部材とは協働して、真空断熱ガラスユニットの第１のユニットの一部分が受容される第１のスロットを画定してもよい。ベース部材又はグレージング部材のうちの一方は、真空断熱ガラスユニットの第１のユニットの真空ポートを受容する空洞を含んでもよい。ベース部材は、真空断熱ガラスユニットの第２のユニットの一部分を受容する第２のスロットを画定してもよい。
【００３４】
別の形態では、本開示は、真空断熱ガラスユニット、第３のガラス基板、及びフレームアセンブリを含み得るウィンドウアセンブリを提供する。真空断熱ガラスユニットは、大気圧より低い圧力にある空間を間に画定する第１及び第２のガラス基板を含み得る。第１及び第２のガラス基板のうちの一方は、そこから外側に延在する真空ポートを含んでもよい。真空ポートは、第１及び第２のガラス基板のうちの一方を通って延在し、空間と連通する通路を画定してもよい。フレームアセンブリは、真空断熱ガラスユニット及び第３のガラス基板を支持することができ、ベース部材及びグレージング部材を含んでもよい。ベース部材とグレージング部材とは協働して、真空断熱ガラスユニットの一部分が受容される第１のスロットを画定してもよい。ベース部材又はグレージング部材のうちの一方は、真空断熱ガラスユニットの真空ポートを受容する空洞を含んでもよい。ベース部材は、第３のガラス基板の一部分を受容する第２のスロットを画定してもよい。
【００３５】
別の形態では、本開示は、複数の真空断熱ガラスユニット及びフレームアセンブリを含み得るウィンドウアセンブリを提供する。真空断熱ガラスユニットのそれぞれは、大気圧より低い圧力にある空間を間に画定する第１及び第２のガラス基板を含み得る。フレームアセンブリは、真空断熱ガラスユニットを支持することができ、ベース部材及びグレージング部材を含んでもよい。ベース部材とグレージング部材とは協働して、真空断熱ガラスユニットの第１のユニットの一部分が受容される第１のスロットを画定してもよい。ベース部材は、真空断熱ガラスユニットの第２のユニットの一部分を受容する第２のスロットを画定してもよい。ベース部材又はグレージング部材のうちの一方は、真空断熱ガラスユニットの第１のユニットが歪んだ状態にあるときに、真空断熱ガラスユニットの第１のユニットの一部分を受容する、第１のスロットに隣接する凹部を含んでもよい。
【００３６】
更なる適用範囲は、本明細書で提供される説明から明らかになるであろう。この概要の説明及び具体例は、単に説明の目的のために意図されており、本開示の範囲を限定することを意図するものではない。
【図面の簡単な説明】
【００３７】
本明細書に記載される図面は、選択された実施形態のみを例示するためのものであり、全ての可能な実装ではなく、本開示の範囲を限定することを意図するものではない。
【００３８】
【図１】本開示の原理によるウィンドウアセンブリの概略図である。
【００３９】
【図２】図１のウィンドウアセンブリのウィンドウフレームシステム内に設置されたガラスユニットの断面図である。
【００４０】
【図３】歪んだ状態の図２のガラスユニット及びウィンドウフレームシステムの断面図である。
【００４１】
【図４】本開示の原理によるガラスユニット及びカプラの斜視図である。
【００４２】
【図５】フレームアセンブリ内に設置されたガラスユニット及びカプラの斜視図である。
【００４３】
【図６】ガラスユニット及び別のガラス基板が内部に設置された、図２のウィンドウフレームシステムの断面図である。
【００４４】
【図７】複数のガラスユニットが内部に設置された、図２のウィンドウフレームシステムの断面図である。
【００４５】
対応する参照番号は、図面のいくつかの図全体を通して対応する部分を示す。
【発明を実施するための形態】
【００４６】
ここで、添付図面を参照して、例示的な実施形態をより完全に説明する。例示的な実施形態は、本開示が徹底的であり、当業者に範囲を完全に伝えるように提供される。本開示の実施形態の完全な理解を提供するために、特定の構成要素、装置、及び方法の例など、多数の具体的な詳細が記載される。具体的な詳細を採用する必要はなく、例示的な実施形態は、多くの異なる形態で具現化されてもよく、また本開示の範囲を限定するものと解釈されるべきではないことが、当業者には明らかであろう。いくつかの例示的実施形態では、周知のプロセス、周知の装置構造体、及び周知の技術は、詳細に説明されない。
【００４７】
本明細書で使用される用語は、特定の例示的な実施形態のみを説明するためのものであり、限定することを意図するものではない。本明細書で使用するとき、単数形「ａ」、「ａｎ」、及び「ｔｈｅ」は、文脈が別途明確に示さない限り、複数形も含むことが意図され得る。用語「備える（comprises）」、「備える（comprising）」、「含む（including）」、及び「有する（having）」は、包括的であり、したがって、記述された特徴、整数、工程、動作、要素、及び／又は構成要素の存在を指定するが、１つ以上の他の特徴、整数、工程、動作、要素、構成要素、及び／又はそれらの群の存在又は追加を除外しない。本明細書に記載される方法の工程、プロセス、及び動作は、性能の順序として具体的に特定されない限り、説明又は例示される特定の順序でのそれらの性能を必ずしも必要とするものとして解釈されるべきではない。追加的又は代替的な工程が使用され得ることも理解されたい。
【００４８】
要素又は層が、別の要素又は層「の上にある」、「に係合している」、「に接続されている」、又は「に結合されている」と言及される場合、それは直接他の要素若しくは層上にあってもよく、それに係合されてもよく、それに接続されてもよく、若しくはそれに結合されてもよく、又は介在要素若しくは層が存在してもよい。対照的に、要素が別の要素又は層「の上に直接ある」、「に直接係合される」、「に直接接続される」、又は「に直接結合される」と言及される場合、介在する要素又は層は存在しなくてもよい。要素間の関係を説明するために使用される他の語は、同様の様式（例えば、「間」対「間に直接」、「隣接する」対「直接隣接する」など）で解釈されるべきである。本明細書で使用するとき、用語「及び／又は」は、関連する列挙された項目のうちの１つ以上の任意及び全ての組み合わせを含む。
【００４９】
第１、第２、第３などの用語は、様々な要素、構成要素、領域、層及び／又はセクションを説明するために本明細書で使用され得るが、これらの要素、構成要素、領域、層及び／又はセクションは、これらの用語によって限定されるべきではない。これらの用語は、１つの要素、構成要素、領域、層、又はセクションを別の領域、層、又はセクションと区別するためにのみ使用されてもよい。本明細書で使用するとき、「第１」、「第２」、及び他の数値用語などの用語は、文脈によって明確に示されない限り、連続又は順序を意味しない。したがって、以下で説明される第１の要素、構成要素、領域、層、又はセクションは、例示的な実施形態の教示から逸脱することなく、第２の要素、構成要素、領域、層、又はセクションと呼ぶことができる。
【００５０】
「内側」、「外側」、「下方」、「下」、「下側」、「上方」、「上側」などの空間的に相対的な用語は、図に示されるような別の要素（複数可）又は特徴（複数可）に対する１つの要素又は特徴の関係を記述するための説明を容易にするために、本明細書で使用され得る。空間的に相対的な用語は、図に示される向きに加えて、使用中又は動作中の装置の異なる向きを包含することが意図され得る。例えば、図中の装置が回転する場合、他の要素又は特徴の「下」又は「下方」として記載された要素は、その際、他の要素又は特徴の「上方」に配向される。したがって、用語「下」は、上及び下の配向の両方を包含することができる。装置は、別の方法で配向（９０度又は他の向きで回転）されてもよく、空間的に相対的な記述子は、それに応じて解釈されて本明細書で使用される。
【００５１】
図１〜図３を参照すると、断熱ガラスユニット、特に真空断熱ガラス（ＶＩＧ）ユニット１２、及びフレームアセンブリ１４を含む、例示的なウィンドウアセンブリ１０が提供される。ウィンドウアセンブリ１０は、例えば、建物又は住宅の壁１６（図１）に設置することができる。図２に示すように、ＶＩＧユニット１２は、第１及び第２のガラス基板１８、２０を含んでもよく、それらは協働して、それらの間に空間２２を画定する。空間２２は、大気圧よりも低い圧力であってもよい。第２のガラス基板２０は、内部基板（すなわち、建物又は住宅の内部に露出される基板）であり、空間２２と連通する通路２５を画定する真空ポート又は管２４（図２及び図３に概略的に示される）を含む。空間２２内の気体は、フレームアセンブリ１４内のＶＩＧユニット１２の設置前又は後に、真空ポート２４を通じて排気され得る。
【００５２】
図１に示されるように、フレームアセンブリ１４は、上枠部分２６、下枠部分２８、及び一対の脇柱部分３０を含んでもよい。上枠部分２６と、下枠部分２８と、脇柱部分３０とは、協働して、ＶＩＧユニット１２を支持することができる。上枠部分２６、下枠部分２８、及び脇柱部分３０は、木材、ビニル、アルミニウム、又は所望の熱伝導率を有する任意の好適な構造材料であってもよい。上枠部分２６、下枠部分２８、及び脇柱部分３０は、熱伝導率がより低い特定の添加剤を含んでもよい。例えば、ビニルが材料として選択される場合、材料は、埋め込まれた微小球を含むことができる。埋め込まれた微小球は、例えば、膨張する微小球を含んでもよい。上枠部分２６、下枠部分２８、及び脇柱部分３０は、概ね類似又は同一であってもよく、したがって、下枠部分２８のみを以下に詳細に説明する。
【００５３】
図２に示すように、下枠部分２８は、ベース部材３２及びグレージング部材３４を含んでもよい。グレージング部材３４は、ＶＩＧユニット１２の内側に配置されてもよく（すなわち、グレージング部材３４は、建物又はホームの内部に配置されてもよく）、ベース部材３２に係合して、ＶＩＧユニット１２の縁部３７の一部又は全部を受容するスロット３６をそれらの間に画定することができる。縁部３７は、ＶＩＧユニット１２の遠位縁３３から約２．５インチ延在するように画定される。いくつかの実施形態では、ガスケット３５がＶＩＧユニット１２とベース部材３２との間、及び／又はＶＩＧユニット１２とグレージング部材３４との間に提供されてもよく、それは、流体がスロット３６に入るのを制限又は防止する。
【００５４】
いくつかの構成では、ＶＩＧユニット１２の縁部３７は、スロット３６内に、１．２５インチ以上の咬合深さＤまで延在し得る。いくつかの変形例では、咬合深さＤは、例えば、約０．７５〜５インチ、又は約０．７５〜３インチであり得る。ＶＩＧユニット１２は、遠位縁３３において第１のガラス基板１８と第２のガラス基板２０との間の縁封止に起因して、遠位縁３３においてより高い熱伝導率を有する傾向がある。したがって、大きな咬合深さは、熱エネルギー（加熱又は冷却）がＶＩＧユニット１２の内側と外側との間で伝導するために移動する経路よりも長く、それにより、ウィンドウアセンブリ１０の熱性能が向上する。
【００５５】
第１及び第２のガラス基板１８、２０の表面温度は、ガラス基板１８、２０の中心から、縁部３７に到達するまで、すなわち、遠位縁３３から約２．５インチに達するまで比較的一定のままであり、ここで、表面温度は、高性能のＶＩＧユニットに固有である遠位縁３３までの急激な温度勾配に沿って遷移する。第１のガラス基板１８の表面温度は、第２のガラス基板２０の表面温度に向かって遷移し、一方、第２のガラス基板２０の表面温度は、第１のガラス基板１８の表面温度に向かって遷移する。大きな咬合深さは、建物又は住宅の内部の環境条件（例えば、相対湿度）に露出された第２のガラス基板２０の表面温度への影響による、第２のガラス基板２０上の凝結の蓄積を防止する。ＶＩＧユニット１２がフレームアセンブリ１４と接触して視線Ｓを画定する。その場合、咬合深さＤは、視線Ｓでの第２のガラス基板２０の表面温度が、凝結を防止するために、内部環境条件及び外部環境条件の範囲にわたって目標温度を上回るように選択される。
【００５６】
ＶＩＧユニット１２の遠位縁３３は、スロット３６の底部における１つ以上のグレージングブロック４７上に配置される。グレージングブロック４７は、ゴム又は同様のポリマー材料を含んでもよく、ウィンドウアセンブリ１０の組み立て中にＶＩＧユニット１２を支持するために使用される。スロット３６の底部に沿って離間された複数のグレージングブロック４７が存在してもよい。グレージングブロック４７は、スロット３６に入る水分がスロット３６の底部の水抜き孔（図示せず）を通って排出されることを可能にするように離間していてもよい。
【００５７】
ベース部材３２は、例えば、ポリマー材料又は複合材料から押出成形、引抜成形、又は射出成形されてもよく、協働して１つ以上のポケット３８を形成する複数の支持部材又はリブ３９を含んでもよい。ポケット３８は、ベース部材３２を通る熱伝導を低減又は妨害するように機能し得る。ベース部材３２の下端部は、建物又は住宅の壁１６に係合する１つ以上のタブ４１を含んでもよい。ポケット３８のうちの１つ以上は、空気４２及び／又は他の気体で充填されてもよく、ポケット３８のうちの１つ以上は、断熱材４４で充填されて、フレームアセンブリ１４の熱伝導率を低減してもよい。断熱材料４４は、例えば、発泡体、ゴム、ガラス微小球、パーライト、エアロゲル、溶融シリカ、及び／又は不活性ガス充填発泡体を含むことができる。いくつかの変形例では、ポケット３８の全てが空気及び／若しくは他の気体で充填されてもよく、又はポケット３８の全てが断熱材料４４で充填されてもよいことが理解されるであろう。このような断熱ガス又は材料の任意の組み合わせを、同じ又は異なるポケット３８に使用することができる。いくつかの実施形態では、リブ３９のうちの１つ以上は、例えば、フレームアセンブリ１４に追加の剛性及び強度を提供して、ＶＩＧユニット１２の歪みによって引き起こされる力に対してフレームアセンブリ１４を補強する補強部材４６を含んでもよい。補強部材４６は、任意の好適な材料から形成することができ、任意の好適な方法で、フレームアセンブリ１４に埋め込まれるか、共押出されるか、共引抜成形されるか、又は組み込まれてもよい。補強部材４６は、円形、矩形、又は正方形などの任意の好適な断面を有してもよい。加えて、リブ３９のそれぞれに１つ以上の補強部材４６が存在してもよい。ベース部材３２の第１の側面４９は、第１のガラス基板１８に接触し、かつグレージング部材３４と協働して、フレームアセンブリ１４内にＶＩＧユニット１２を確実に保持することができる。いくつかの構成では、両面接着剤グレージングテープ５１又はシリコーン若しくはシリコーン様製品が、第１の側面４９と第１のガラス基板１８との間に配置される。
【００５８】
いくつかの実施形態では、ベース部材３２は、スロット３６に隣接する凹部４８を含んでもよい。図３に示されるように、凹部４８は、ＶＩＧユニット１２を遠位縁３３に拘束するのではなく、ＶＩＧユニット１２の歪みに適応するように設計されている。遠位縁３３における拘束は、ＶＩＧユニット１２に有意な追加の応力を導入することができる。ベース部材３２及びグレージング部材３４は、ＶＩＧユニット１２を視線Ｓに隣接して拘束して、それによって、ＶＩＧユニット１２の歪みを防止又は最小化するように設計されてもよい。ＶＩＧユニット１２を視線Ｓに隣接して拘束することにより、ＶＩＧユニット１２が遠位縁３３に拘束されている場合にＶＩＧユニット１２内に導入される応力よりも小さい応力が導入される。加えて、グレージング部材３４は、ＶＩＧユニット１２の歪みに応答して、建物又は住宅の内部に向かって屈曲又は旋回するように設計されてもよい。ＶＩＧユニット１２の歪みの主要な原因は、屋外温度と室内温度との間の大きな差に露出された結果としての熱膨張及び収縮の差であり、これにより、ＶＩＧユニット１２の剛性縁封止は、第１及び第２のガラス基板１８、２０が同じ方向に一緒に歪むことを引き起こす。第１及び第２の基板１８、２０の一緒のこのような熱歪みは、ＶＩＧユニットで生じるが、従来のＩＧ又は他のウィンドウユニットには生じない問題となる傾向がある。したがって、ＶＩＧユニット１２の縁部３７が凹部４８内への熱歪みを受ける能力により、長期間の使用にわたるＶＩＧユニット１２又はフレームアセンブリ１４の潜在的な機械的応力又は破損が防止される。ＶＩＧユニット１２の歪みはまた、風荷重などによって引き起こされ得る。いくつかの実施形態では、断熱バリア５０が、凹部４８内に配置されてもよい。接着剤は、断熱バリア５０をＶＩＧユニット１２及び／又はベース部材３２に結合し得る。例えば、断熱バリア５０は、シリコーン又はポリスチレンテープを含むことができる。いくつかの構成では、断熱バリア５０は、厚さ約５ミリメートル以上であり得る。断熱バリア５０は、ベース部材３２をＶＩＧユニット１２に構造的に接着し、ＶＩＧユニット１２の歪みに関連するエネルギーを吸収し、及び変位させることができる。いくつかの実施形態では、凹部４８は開放されてもよい（例えば、断熱バリア５０ではなく気体又は空気で充填されてもよい）ことが理解されるであろう。
【００５９】
いくつかの実施形態では、ポケット３８のうちの１つ以上が他のガラス基板（複数可）又は第２のＶＩＧユニットを受容するための別のスロットを画定することができるように、ベース部材３２のリブ３９のうちの１つ以上を切り取り又は除去することができる。例えば、図２に示す構成では、第１及び第２のポケット５６、５８が別のガラス基板１３（図６に示されるような）又は第２のＶＩＧユニット１５（図７に示されるような）を受容するためのスロットとして機能することができるように、第１及び第２のリブ５２、５４を切り取り又は除去することができる。第１及び第２のリブ５２、５４の一方又は両方は、１つ以上のノッチ６０を含んでもよく、これは第１及び第２のリブ５２、５４の切断又は破壊を容易にし、ガラス基板１３又は第２のＶＩＧユニット１５及び断熱材料（例えば、発泡体、ゴム、ガラス微小球、パーライト、エアロゲル、溶融シリカ、及び／又は不活性ガス充填発泡体）を挿入して、ガラス基板１３又は第２のＶＩＧユニット１５を囲むことを可能にする。
【００６０】
グレージング部材３４は、ポリマー材料又は強化相を含むポリマー複合体を含んでもよい。グレージング部材３４は、例えば、そのようなポリマー材料又は複合材料を、押出成形、引抜成形又は射出成形することによって形成されてもよく、協働してポケット６４を形成する複数の支持部材又はリブ６２を含んでもよい。ポケット６４のうちの１つ以上は、フレームアセンブリ１４の熱伝導率を低減するために、空気、他の気体、及び／又は断熱材料６６で充填されてもよい。断熱材料６６は、例えば、発泡体、ゴム、ガラス微小球、パーライト、エアロゲル、溶融シリカ、及び／又は不活性ガス充填発泡体を含むことができる。いくつかの実施形態では、リブ６２のうちの１つ以上は、フレームアセンブリ１４に追加の剛性及び強度を提供するための補強部材４６を含んでもよい。グレージング部材３４の第１及び第２の側面６８、７０は、第２のガラス基板２０に接触し、かつベース部材３２と協働して、フレームアセンブリ１４内にＶＩＧユニット１２をしっかりと保持することができる。いくつかの構成では、両面接着剤グレージングテープ５１又はシリコーン若しくはシリコーン様製品は、第１の側面６８及び／又は第２の側面７０と第２のガラス基板２０との間に配置される。
【００６１】
グレージング部材３４の下端部は、ベース部材３２と嵌合するようにスナップ嵌めされる１つ以上の弾性可撓性タブ７２を含んでもよい。タブ７２は、ＶＩＧユニット１２の歪みに適応するようにグレージング部材３４を旋回させることができ、かつ／又はグレージング部材３４の除去を提供することができる。このようにして、グレージング部材３４は、ウィンドウアセンブリ１０が建物又は住宅の壁１６内に設置された後であっても、需要に応じてウィンドウアセンブリ１０の内外に繰り返しスナップ嵌めされ得る。
【００６２】
グレージング部材３４はまた、第１の側面６８と第２の側面７０との間に形成された凹部（又は空洞）７４を含んでもよい。凹部７４は、ＶＩＧユニット１２の真空ポート２４を受容してもよく、真空ポート２４が損傷しないように保護することができる。凹部７４は、真空ポート２４を損傷することなく、又はより重要なことには、ＶＩＧユニット１２がその真空を失うことを引き起こすことなく、ＶＩＧユニット１２の歪みに適応するように設計されている。凹部７４は、真空ポート２４を取り囲む断熱材料７６で充填されてもよい。断熱材料７６は、例えば、発泡体、ゴム、ガラス微小球、パーライト、エアロゲル、溶融シリカ、及び／又は不活性ガス充填発泡体を含むことができる。断熱材料７６は、真空ポート２４を損傷することなく、又はより重要なことには、ＶＩＧユニット１２がその真空を失うことを引き起こすことなく、真空ポート２４とグレージング部材３４との間の相対的な移動を可能にするのに十分に適合し得る。代替的な実施形態では、グレージング部材３４の第２の側面７０は、第２のガラス基板２０に接触しない。むしろ、凹部７４は、第１の側面６８からスロット３６の底部まで延在する。図７に示すように、いくつかの構成では、別の凹部又は空洞７５（凹部７４と同様）が、ベース部材３２内に形成され、第２のＶＩＧユニット１５の真空ポート２５を受容し得る。図は外側に突出する真空ポート２４、２５を有するＶＩＧユニット１２、１５を示すが、いくつかの構成において、真空ポート２４、２５は、ＶＩＧユニット１２、１５のガラス基板の表面と実質的に同一平面であってもよい。他の構成では、ＶＩＧユニット１２、１５は全て、真空ポート２４、２５を含まなくてもよい。追加的に又は代替的に、ＶＩＧユニット１２、１５のいずれか又は両方の第１及び第２のガラス基板１８、２０のいずれか又は両方は、積層された基板（例えば、ガラス層間にポリビニルブチラール（ＰＶＢ）の層を有する積層されたガラス層を有する基板）であってもよい。
【００６３】
一部の温暖気候（例えば、南米など）では、グレージング部材３４は、ＶＩＧユニット１２の外側に配置されて（すなわち、グレージング部材３４は、建物又は住宅の外部に配置されて）、それにより、寒冷気候（例えば、北米など）で経験されるものとは反対の方向へのＶＩＧユニット１２の歪みに適応し得ることが予期される。
【００６４】
図４及び図５を参照すると、ＶＩＧユニット１２を標準的なウィンドウフレームアセンブリ８２に適応させるために使用され得る、カプラ８０が提供されている。カプラ８０は、ＶＩＧユニット１２の歪みに適応するために、凹部４８及び凹部７４などのフレームアセンブリ１４と類似又は同一の特徴部を含んでもよい。フレームアセンブリ１４と同様に、カプラ８０は、大きな咬合深さを提供して、第１の基板１８と第２の基板２０との間の熱伝達を妨げ、第２のガラス基板２０上の凝結の蓄積を防止する。図５に示されるように、カプラ８０は、フレームアセンブリ８２内に受容されるか、ないしは別の方法でフレームアセンブリ８２に取り付けられてもよい。フレームアセンブリ１４と同様に、カプラ８０の壁は、上述の補強部材４６のような補強部材を含んでもよい。断熱性気体又は材料は、カプラ８０のリブ８６間の１つ以上の空洞８４を充填してもよい。
【００６５】
実施形態の前述の説明は、例証及び説明の目的のために提供されてきた。網羅的であること、又は本開示を限定することを意図するものではない。特定の実施形態の個々の要素又は特徴は、一般に、その特定の実施形態に限定されるものではないが、適用可能な場合、交換可能であり、特別に示され、又は説明されない場合であっても、選択された実施形態で使用することができる。同様に、多くの方法で変更されてもよい。そのような変更は、本開示から逸脱するものと見なされるべきではなく、そのような全ての修正は、本開示の範囲内に含まれることが意図される。
【図１】
2020197116.tif 000003
【図２】
2020197116.tif 000004
【図３】
2020197116.tif 000005
【図４】
2020197116.tif 000006
【図５】
2020197116.tif 000007
【図６】
2020197116.tif 000008
【図７】
2020197116.tif 000009
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
窓組立体であって、
大気圧よりも低い圧力の、第１ガラス基板と第２ガラス基板との間の空間を定める第１ガラス基板及び第２ガラス基板を含む真空断熱ガラスユニットであって、前記第１ガラス基板及び前記第２ガラス基板のうちの少なくとも一方は、この基板から外側に延びる真空口を含み、前記真空口は前記空間と連通する通路を定める、真空断熱ガラスユニットと、
第３ガラス基板と
前記真空断熱ガラスユニットと前記第３ガラス基板を支持し、基礎部材とグレージング部材とを含む枠組立体と、を含み、前記基礎部材とグレージング部材とが協働して、前記真空断熱ガラスユニットの端部が収容される第１スロットを定め、前記基礎部材は、前記第３ガラス基板の端部を収容する第２スロットを定め、
前記グレージング部材が、前記真空断熱ガラスユニットの真空口を収容する空洞を含み、
前記第１真空断熱ガラスユニットの真空口は、前記基礎部材から前記グレージング部材に向う方向に延び、
前記グレージング部材は、前記真空断熱ガラスユニットが歪んだ状態にあるときに、前記真空断熱ガラスユニットの一部を収容する前記スロットに隣接する凹部を含む、窓組立体。
【請求項２】
窓組立体であって、
大気圧よりも低い圧力の、第１ガラス基板と第２ガラス基板との間の空間を定める第１ガラス基板及び第２ガラス基板をそれぞれが含む複数の真空断熱ガラスユニットであって、前記第１ガラス基板及び前記第２ガラス基板のうちの少なくとも一方は、この基板から外側に延びる真空口を含み、前記真空口は前記空間と連通する通路を定める、複数の真空断熱ガラスユニットと、
前記複数の真空断熱ガラスユニットを支持し、基礎部材とグレージング部材とを含む枠組立体と、を含み、前記基礎部材とグレージング部材とが協働して、前記複数の真空断熱ガラスユニットのうちの第１真空断熱ガラスユニットの端部が収容される第１スロットを定め、前記基礎部材は、前記複数の真空断熱ガラスユニットのうちの第２真空断熱ガラスユニットの端部を収容する第２スロットを定め、
前記グレージング部材が、前記第１真空断熱ガラスユニットの真空口を収容する空洞を含み、前記基礎部材が、前記第２真空断熱ガラスユニットの真空口を収容する空洞を含み、前記第１真空断熱ガラスユニットの真空口は、前記基礎部材から前記グレージング部材に向う方向に延び、前記第２真空断熱ガラスユニットの真空口は、前記グレージング部材から前記基礎部材に向う方向に延びる、窓組立体。
【外国語明細書】
2020197116000001.pdf